(57)【特許請求の範囲】
【請求項１】
筐体を備え、この筐体が天板フレームと、底板フレームと、当該筐体の上下方向に延びる複数の角部のうち少なくとも１つの角部において前記天板フレームと前記底板フレームとを繋ぐ支柱部とを含む空気調和機の室外機であって、
前記支柱部は、それが設けられた前記角部を構成する前記筐体の１つの外面に対して略平行に配置される外面支持部と、その外面支持部から前記筐体の内側へ折り返され、当該支柱部の長手方向に沿って形成された折返し部とを有し、
前記底板フレームは、底部と、この底部の周縁から立ち上がり、前記外面支持部の内側に配置される側壁部とを有し、
前記底板フレームの前記側壁部のうち前記折返し部に対応する部位が前記筐体の内側に凹むことによって形成された第１凹部により前記折返し部との干渉が回避され、
前記底板フレームの前記側壁部のうち前記第１凹部よりも前記支柱部が設けられた角部側に位置する部位からなる側壁部結合部が、前記外面支持部の内面に接触した状態でその外面支持部と結合されている、空気調和機の室外機。
【請求項２】
筐体を備え、この筐体が天板フレームと、底板フレームと、当該筐体の上下方向に延びる複数の角部のうち少なくとも１つの角部において前記天板フレームと前記底板フレームとを繋ぐ支柱部とを含む空気調和機の室外機であって、
前記支柱部は、それが設けられた前記角部を構成する前記筐体の１つの外面に対して略平行に配置される外面支持部と、その外面支持部から前記筐体の内側へ折り返され、当該支柱部の長手方向に沿って形成された折返し部とを有し、
前記底板フレームは、底部と、この底部の周縁から立ち上がり、前記外面支持部の内側に配置される側壁部とを有し、
前記外面支持部は、当該外面支持部の下部が前記筐体の内側へ向かって窪むことによって形成された外面支持部結合部を有し、
前記底板フレームの前記側壁部のうち前記折返し部及び前記外面支持部結合部を含む範囲が前記筐体の内側に凹むことによって形成された第２凹部により前記折返し部との干渉が回避され、
前記外面支持部結合部は、前記第２凹部の外面に接触した状態でその第２凹部と結合されている、空気調和機の室外機。
【請求項３】
前記筐体内には、少なくとも熱交換器が配設され、
前記熱交換器は、前記筐体内においてその側面から背面に沿うように略Ｌ字状に屈曲した形状を有し、
前記支柱部は、前記熱交換器の屈曲部が配置され、前記筐体の側面と背面とが交わる角部に設けられている、請求項１又は２に記載の空気調和機の室外機。
【請求項４】
前記外面支持部結合部は、前記底板フレームの前記側壁部に対応する高さの範囲で前記筐体の内側に窪んでいる、請求項２に記載の空気調和機の室外機。
【発明の詳細な説明】
【技術分野】
【０００１】
本発明は、空気調和機の室外機に関するものである。
【背景技術】
【０００２】
従来、箱形の外形を有する筐体内に熱交換器、送風機、圧縮機などの各機器が収納された空気調和機の室外機が知られている（例えば、特許文献１参照）。
【０００３】
この特許文献１に開示された室外機では、その筐体が天板フレーム、底板フレーム、前板、側板、背面板及び支柱部を有しており、これらが相互に組み合わされることによって箱形を構成している。
【０００４】
前記天板フレームは、筐体の天井部を覆っている一方、前記底板フレームは、筐体の底部を覆っている。前記前板は、筐体の前面を覆っており、前記送風機の駆動によって筐体内に取り込んだ空気を排出するための排気口を有している。前記側板は、筐体の一方の側面を覆っている。前記背面板は、筐体の背面のうち前記側板に隣接する一部分の領域を覆っている。前記支柱部は、筐体の前記側板で覆われた側面と反対側の側面と背面とが交わる角部に設けられている。この支柱部は、上下方向に延びており、前記天板フレームと前記底板フレームとを繋いでいる。支柱部は、Ｌ字状の水平断面を有するように形成されており、筐体の背面に略平行な部分と筐体の側面に略平行な部分とを有する。この支柱部の下部の内側に前記底板フレームの１つの角部が嵌り込むようにセットされた状態で両者が締結されている。
【０００５】
そして、筐体の背面には、前記天板フレームと前記底板フレームと前記背面板と前記支柱部とによって囲まれた背面開口部が形成されているとともに、筐体の前記側板と反対側の側面には、前記天板フレームと前記底板フレームと前記前板と前記支柱部とによって囲まれた側面開口部が形成されている。すなわち、筐体の支柱部を挟んで両側は、それぞれ開口部となっており、支柱部が設けられた角部はその支柱部のみで支える構造となっている。
【特許文献１】特開２００５−９８６１４号公報
【発明の開示】
【発明が解決しようとする課題】
【０００６】
上記特許文献１に開示された室外機の筐体では、筐体の支柱部が設けられた角部がその支柱部のみで支える構造となっているため、例えば倉庫等において室外機を段積みした場合等にこの角部が強度不足となる虞がある。
【０００７】
そこで、支柱部の前記筐体の背面に略平行な部分または前記筐体の側面に略平行な部分の幅方向の端縁から筐体の内側に折り返すように折返し部を設けることによって支柱部の強度の向上を図るとともに、その支柱部が設けられた筐体の角部の強度の向上を図ることが可能である。ただし、この場合には、底板フレームと前記折返し部との干渉を回避する必要があり、その干渉回避のための構造の一例として、前記折返し部の下部に切欠き部を形成し、その切欠き部を通って底板フレームの角部が支柱部の内側に嵌り込むようにする構造が考えられる。
【０００８】
しかしながら、このような構造では、支柱部のうち切欠き部が形成された下部の強度が低くなり、結局、前記折返し部を設けることによって得られた支柱部の強度の向上効果が薄れてしまうという問題点が生じる。
【０００９】
本発明は、上記の課題を解決するためになされたものであり、その目的は、筐体の支柱部と底板フレームとの干渉を回避しながら、その支柱部が設けられる筐体の角部の強度を十分に向上させることが可能な空気調和機の室外機を提供することである。
【課題を解決するための手段】
【００１０】
上記目的を達成するために、本発明による空気調和機の室外機は、筐体を備え、この筐体が天板フレームと、底板フレームと、当該筐体の上下方向に延びる複数の角部のうち少なくとも１つの角部において前記天板フレームと前記底板フレームとを繋ぐ支柱部とを含む空気調和機の室外機であって、前記支柱部は、それが設けられた前記角部を構成する前記筐体の１つの外面に対して略平行に配置される外面支持部と、その外面支持部から前記筐体の内側へ折り返され、当該支柱部の長手方向に沿って形成された折返し部とを有し、前記底板フレームは、底部と、この底部の周縁から立ち上がり、前記外面支持部の内側に配置される側壁部とを有し、前記底板フレームの前記側壁部のうち前記折返し部に対応する部位が前記筐体の内側に凹むことによって形成された第１凹部により前記折返し部との干渉が回避され、前記底板フレームの前記側壁部のうち前記第１凹部よりも前記支柱部が設けられた角部側に位置する部位からなる側壁部結合部が、前記外面支持部の内面に接触した状態でその外面支持部と結合されている。
また、本発明による空気調和機の室外機は、筐体を備え、この筐体が天板フレームと、底板フレームと、当該筐体の上下方向に延びる複数の角部のうち少なくとも１つの角部において前記天板フレームと前記底板フレームとを繋ぐ支柱部とを含む空気調和機の室外機であって、前記支柱部は、それが設けられた前記角部を構成する前記筐体の１つの外面に対して略平行に配置される外面支持部と、その外面支持部から前記筐体の内側へ折り返され、当該支柱部の長手方向に沿って形成された折返し部とを有し、前記底板フレームは、底部と、この底部の周縁から立ち上がり、前記外面支持部の内側に配置される側壁部とを有し、前記外面支持部は、当該外面支持部の下部が前記筐体の内側へ向かって窪むことによって形成された外面支持部結合部を有し、前記底板フレームの前記側壁部のうち前記折返し部及び前記外面支持部結合部を含む範囲が前記筐体の内側に凹むことによって形成された第２凹部により前記折返し部との干渉が回避され、前記外面支持部結合部は、前記第２凹部の外面に接触した状態でその第２凹部と結合されている。
【００１１】
上記各空気調和機の室外機では、筐体の支柱部がその外面支持部から筐体の内側へ折り返された折返し部を有しているので、このような折返し部が設けられていない場合に比べて支柱部の強度を向上させることができる。さらに、上記底板フレームの側壁部のうち支柱部の折返し部に対応する部位が筐体の内側に凹むことによって形成された第１凹部により折返し部との干渉が回避される室外機では、底板フレームと支柱部の折返し部との干渉を回避するために折返し部に切欠き部を形成しなくてもよい。また、上記底板フレームの側壁部のうち支柱部の折返し部及び外面支持部結合部を含む範囲が筐体の内側に凹むことによって形成された第２凹部により折返し部との干渉が回避される室外機でも、底板フレームと支柱部の折返し部との干渉を回避するために折返し部に切欠き部を形成しなくてもよい。このため、上記各空気調和機の室外機では、折返し部によって得られる支柱部の強度の向上効果が前記切欠き部によって低下するのを防ぐことができる。従って、上記各空気調和機の室外機では、筐体の支柱部と底板フレームとの干渉を回避しながら、その支柱部が設けられる筐体の角部の強度を十分に向上させることができる。また、上記各空気調和機の室外機では、支柱部の外面支持部が底板フレームの底部から立ち上げられた側壁部に結合するので、そのような側壁部が設けられていない底板フレームの周縁部に支柱部が結合する構造に比べて結合面積が大きくなり、支柱部と底板フレームとの結合強度を向上させることができる。また、上記底板フレームの側壁部のうち支柱部の折返し部に対応する部位が筐体の内側に凹むことによって形成された第１凹部により折返し部との干渉が回避される室外機では、支柱部の構成が複雑化するのを回避でき、かつ、底板フレームと支柱部の折返し部との干渉を回避しつつ底板フレームと支柱部とを結合させることができる。また、上記底板フレームの側壁部のうち支柱部の折返し部及び外面支持部結合部を含む範囲が筐体の内側に凹むことによって形成された第２凹部により折返し部との干渉が回避される室外機では、支柱部の外面支持部の外面と底板フレームの側壁部の外面とを面一にし易くすることができる。
【００１２】
上記空気調和機の室外機において、前記筐体内には、少なくとも熱交換器が配設され、前記熱交換器は、前記筐体内においてその側面から背面に沿うように略Ｌ字状に屈曲した形状を有し、前記支柱部は、前記熱交換器の屈曲部が配置され、前記筐体の側面と背面とが交わる角部に設けられているのが好ましい。
【００１３】
このように構成すれば、強度の向上した支柱部によって熱交換器の屈曲部が配置される筐体の角部を支えることができ、室外機が段積みされた場合等にその角部に大きな荷重が加えられたときでも熱交換器が損傷するのを防ぐことができる。
【００２２】
上記外面支持部が外面支持部結合部を有する構成において、前記外面支持部結合部は、前記底板フレームの前記側壁部に対応する高さの範囲で前記筐体の内側に窪んでいるのが好ましい。
【００２３】
このように構成すれば、支柱部の外面支持部において外面支持部結合部が設けられた箇所とその上部との間で段差を形成することができるので、支柱部の外面支持部結合部近傍の剛性を向上させることができる。
【発明の効果】
【００２４】
以上説明したように、本発明の空気調和機の室外機によれば、筐体の支柱部と底板フレームとの干渉を回避しながら、その支柱部が設けられる筐体の角部の強度を十分に向上させることができる。
【発明を実施するための最良の形態】
【００２５】
以下、本発明の実施形態を図面を参照して説明する。
【００２６】
図１は、本発明の一実施形態による空気調和機の室外機を背面側から見た斜視図である。図２は、図１に示した室外機における筐体４の支柱部１２と底板フレーム１４との結合部近傍の拡大図である。図３は、支柱部１２の下部の構造を部分的に示した斜視図である。図４は、支柱部１２と底板フレーム１４との結合部の水平断面図である。まず、図１〜図４を参照して、本発明の一実施形態による空気調和機の室外機の構成について説明する。
【００２７】
本実施形態による空気調和機の室外機は、図１に示すように、熱交換器２や、図略の圧縮機、送風機及びその他の各種構成機器を内部に収納する箱形の筐体４を備えている。
【００２８】
前記筐体４は、天板フレーム６と、図略の前板部と、側板部８と、背面板部１０と、支柱部１２と、底板フレーム１４とを有している。
【００２９】
前記天板フレーム６は、筐体４の天井部を構成するものである。この天板フレーム６は、略水平に配置された略長方形の板体からなる天板部６ａと、この天板部６ａの周縁から垂直に立ち下がる天板側壁部６ｂとを有する。
【００３０】
前記図略の前板部は、筐体４の前面全体を覆っている。この前板部には、前記図略の送風機の駆動によって筐体４内に取り込まれた空気を排出するための図略の排気口が設けられている。
【００３１】
前記側板部８は、筐体４の一方の側面を覆っている。
【００３２】
前記背面板部１０は、筐体４の背面のうち前記側板部８に隣接する一部の領域を覆っている。
【００３３】
筐体４の背面には、前記天板フレーム６と前記底板フレーム１４と前記背面板部１０と前記支柱部１２とによって囲まれた背面開口部４ａが形成されているとともに、筐体４の前記側板部８と反対側の側面には、前記天板フレーム６と前記底板フレーム１４と図略の前板部と前記支柱部１２とによって囲まれた側面開口部４ｂが形成されている。
【００３４】
前記背面開口部４ａ及び前記側面開口部４ｂは、筐体４内外の通気を取るためのものであり、前記図略の送風機の駆動によりこれら両開口部４ａ，４ｂを通じて前記熱交換器２での熱交換に供される外気が筐体４内に取り込まれる。背面開口部４ａには、背面側グリル１６ａが取り付けられている一方、側面開口部４ｂには、側面側グリル１６ｂが取り付けられている。これら両グリル１６ａ，１６ｂは、それぞれ格子状に形成されている。
【００３５】
前記支柱部１２は、筐体４の前記側板部８で覆われた側面と反対側の側面と背面とが交わる角部Ａに設けられており、この角部Ａにおいて前記天板フレーム６と前記底板フレーム１４とを繋いでいる。筐体４内に収納されている前記熱交換器２は、筐体４内においてその側面から背面に沿うように略Ｌ字状に屈曲した形状を有しており、この熱交換器２の屈曲部が配置される筐体４の角部Ａに前記支柱部１２が設けられている。支柱部１２を挟んで両側には前記背面開口部４ａと前記側面開口部４ｂとが設けられており、支柱部１２が設けられた筐体４の角部Ａはこの支柱部１２のみで支える構造となっている。
【００３６】
また、支柱部１２は、上下に直線的に延びており、板金を曲げ加工することによって形成されている。そして、支柱部１２は、図３及び図４に示すように、筐体４の側面に略平行に配置される側面支持部１２ａと、その側面支持部１２ａから湾曲しながら繋がり、筐体４の背面に略平行に配置される背面支持部１２ｂと、その背面支持部１２ｂの幅方向の端縁から筐体４の内側へ垂直に折り返された折返し部１２ｃとを有する。なお、背面支持部１２ｂは、本発明の外面支持部の概念に含まれるものである。前記折返し部１２ｃが設けられることによって、支柱部１２の強度が向上されている。
【００３７】
前記折返し部１２ｃの下端部から所定高さまでの部分は、その部分よりも上側の部分に比べて筐体４の内側への突出量が小さくなるように形成されている。なお、この折返し部１２ｃの下端部から所定高さまでの部分は、その上側の部分と同じ突出量を有するように形成されていてもよい。すなわち、折返し部１２ｃは、高さ方向の全範囲において筐体４の内側への突出量が均一となるように形成されていてもよい。
【００３８】
そして、支柱部１２の上端部は、図１に示すように前記天板側壁部６ｂの側面側の部分と背面側の部分とによって形成される角部の内側に差し込まれ、側面支持部１２ａの上端部と天板側壁部６ｂの側面側の部分とが互いに締結されているとともに、背面支持部１２ｂの上端部と天板側壁部６ｂの背面側の部分とが互いに締結されている。一方、支柱部１２の下端部は、図２に示すように前記底板フレーム１４の後述する底板側壁部１４ｂの側面側の部分と背面側の部分とによって形成される角部の外側に被せられ、側面支持部１２ａの下端部と底板側壁部１４ｂの側面側の部分とが互いに締結されているとともに、背面支持部１２ｂの下端部と底板側壁部１４ｂの背面側の部分とが互いに締結されている。
【００３９】
前記底板フレーム１４は、筐体４の底部を構成するものである。この底板フレーム１４は、略水平に配置された略長方形の板体からなる底部１４ａと、この底部１４ａの周縁から垂直に立ち上がる底板側壁部１４ｂとを有する。この底板側壁部１４ｂは、本発明の側壁部の概念に含まれるものである。
【００４０】
前記底部１４ａの下面には、一対の脚部１５，１５が取り付けられており、この脚部１５，１５によって室外機を設置面上で支えるようになっている。
【００４１】
前記底板側壁部１４ｂの背面側の部分には、前記支柱部１２の折返し部１２ｃとの干渉を回避しつつその支柱部１２の背面支持部１２ｂと結合する回避結合部１４ｃが設けられている。
【００４２】
具体的には、前記回避結合部１４ｃは、図４に示すように、第１凹部１４ｄと、側壁部結合部１４ｅとによって構成されている。
【００４３】
前記第１凹部１４ｄは、前記底板側壁部１４ｂの背面側の部分において前記支柱部１２の折返し部１２ｃに対応する位置で筐体４の内部に凹む部分である。この第１凹部１４ｄには、折返し部１２ｃにおいて前記筐体４の内側への突出量が小さくなっている部分が嵌り込んでおり、その部分が筐体４の内側に突出した分だけ第１凹部１４ｄは筐体４の内部に凹んでいる。第１凹部１４ｄは、前記底部１４ａの周縁に凹部が形成され、この凹部に合うように底板側壁部１４ｂが折り曲げられることによって形成されている。この第１凹部１４ｄにより、底板側壁部１４ｂと支柱部１２の折返し部１２ｃとの干渉が回避される。
【００４４】
前記側壁部結合部１４ｅは、前記第１凹部１４ｄよりも前記支柱部１２に対応する角部Ａ側の位置でその支柱部１２の背面支持部１２ｂに結合する部分である。側壁部結合部１４ｅの外面は、底板側壁部１４ｂの背面側の部分の外面と面一となっており、この側壁部結合部１４ｅの外面と前記支柱部１２の背面支持部１２ｂの内面とが接触した状態でこれら側壁部結合部１４ｅと背面支持部１２ｂとが互いに締結されている。
【００４５】
ところで、底板側壁部１４ｂと支柱部１２の折返し部１２ｃとを干渉を回避しつつ互いに結合させる構造として、図５に示す比較例のように、折返し部１２ｃの下部に切欠き部１２ｅを形成するとともに、この切欠き部１２ｅの下側に折り返すことなく背面支持部１２ｂから筐体４の背面に略平行に突出して延びる締結部１２ｆを形成し、これら切欠き部１２ｅ及び締結部１２ｆの内側に底板フレーム１４の底板側壁部１４ｂを配置させて締結部１２ｆと底板側壁部１４ｂとを互いに締結する構造も考えられる。
【００４６】
しかしながら、この構造では、支柱部１２のうち切欠き部１２ｅが形成された下部の強度が低くなり、折返し部１２ｃを設けることによって得られた支柱部１２の強度の向上効果が低減してしまう。この強度の向上効果の低減を補うために支柱部１２に補強材を取り付けることも考えられるが、この場合には部品点数が増加するとともに補強材の煩雑な取り付け作業が増加する。
【００４７】
これに対して、本実施形態では、前記切欠き部１２ｅを形成しなくても前記第１凹部１４ｄ及び前記側壁部結合部１４ｅからなる回避結合部１４ｃにより底板フレーム１４の底板側壁部１４ｂと支柱部１２の折返し部１２ｃとの干渉を回避しつつ両者を結合させることができるので前記比較例のような不都合は生じない。しかも、支柱部１２の長さ方向（高さ方向）全体に亘って折返し部１２ｃが設けられるので、その折返し部１２ｃによる強度の向上効果を十分に発揮させることができる。また、本実施形態では、支柱部１２の背面支持部１２ｂが底板側壁部１４ｂ（側壁部結合部１４ｅ）と締結されるので、前記比較例のような背面支持部１２ｂから突出した締結部１２ｆにおいて支柱部１２と底板側壁部１４ｂとが締結される場合に比べて締結部が支柱部１２の角部の近くに配置され、その締結部において高い強度が得られる。
【００４８】
以上説明したように、本実施形態の室外機では、筐体４の支柱部１２がその背面支持部１２ｂから筐体４の内側へ折り返された折返し部１２ｃを有しているので、このような折返し部１２ｃが設けられていない場合に比べて支柱部１２の強度を向上させることができる。さらに、本実施形態による室外機の筐体４の底板フレーム１４には、底板側壁部１４ｂと支柱部１２の折返し部１２ｃとの干渉を回避しつつ底板フレーム１４と支柱部１２とを結合させる回避結合部１４ｃが設けられているので、折返し部１２ｃに切欠き部を形成しなくてもよい。このため、折返し部１２ｃによって得られる支柱部１２の強度の向上効果が前記切欠き部によって低下するのを防ぐことができる。従って、本実施形態では、筐体４の支柱部１２と底板フレーム１４との干渉を回避しながら、その支柱部１２が設けられる筐体４の角部Ａの強度を十分に向上させることができる。
【００４９】
また、本実施形態では、支柱部１２が熱交換器２の屈曲部が配置される筐体４の角部Ａに設けられているので、その角部Ａを強度の向上した支柱部１２によって支えることができ、室外機が段積みされた場合等にその角部Ａに大きな荷重が加えられたときでも熱交換器２が損傷するのを防ぐことができる。
【００５０】
また、本実施形態では、底板フレーム１４が底部１４ａとこの底部１４ａの周縁から立ち上がる底板側壁部１４ｂとを有し、支柱部１２の背面支持部１２ｂと底板側壁部１４ｂの側壁部結合部１４ｅとが締結されているので、底板側壁部１４ｂが設けられていない底板フレームの周縁部に支柱部１２が結合する構造に比べて結合面積が大きくなり、支柱部１２と底板フレーム１４との結合強度を向上させることができる。
【００５１】
また、本実施形態では、回避結合部１４ｃが底板側壁部１４ｂにおいて折返し部１２ｃに対応する位置で筐体４の内部に凹む第１凹部１４ｄと、この第１凹部１４ｄよりも角部Ａ側の位置で背面支持部１２ｂに結合される側壁部結合部１４ｅとによって構成されている。このため、支柱部１２の構成が複雑化するのを回避でき、かつ、底板フレーム１４と支柱部１２の折返し部１２ｃとの干渉を回避しつつ底板フレーム１４と支柱部１２とを結合させることができる。
【００５２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味及び範囲内でのすべての変更が含まれる。
【００５３】
例えば、上記実施形態では、底板フレーム１４の底板側壁部１４ｂに回避結合部１４ｃを設けたが、その代わりに図６及び図７に示す変形例のように支柱部１２に形成された背面支持部結合部１２ｄと底板フレーム１４に形成された第２凹部１４ｇとからなる回避結合手段２０を設けてもよい。
【００５４】
具体的には、前記背面支持部結合部１２ｄは、底板側壁部１４ｂに結合する部分であり、支柱部１２の背面支持部１２ｂの下部がその背面支持部１２ｂから筐体４の内側に向かって突出するように窪まされることによって形成されている。この背面支持部結合部１２ｄは、背面支持部１２ｂの下部のうち窪まされていない部分の前記角部Ａ側の端縁から筐体４の内側へ斜めに屈曲した後、さらに屈曲して筐体４の背面に略平行に延びる形状に形成されている。また、この背面支持部結合部１２ｄは、底板側壁部１４ｂに対応する高さの範囲で筐体４の内側に突出している。そして、背面支持部結合部１２ｄの内面は、折返し部１２ｃのうち前記筐体４の内側への突出量が小さくなるように形成された部分の端縁と面一になるように構成されている。
【００５５】
前記第２凹部１４ｇは、底板側壁部１４ｂに設けられており、支柱部１２の折返し部１２ｃ及び背面支持部結合部１２ｄを含む範囲、具体的には、折返し部１２ｃよりも底板側壁部１４ｂの長さ方向中央部寄りの位置から前記角部Ａに亘る範囲で筐体４の内側に前記折返し部１２ｃが筐体４内部に突出した分だけ凹んでいる。この第２凹部１４ｇによって、折返し部１２ｃとの干渉が回避される。第２凹部１４ｇの外面は、筐体４の背面と略平行に配置されており、前記背面支持部結合部１２ｄの内面と接触している。この第２凹部１４ｇと背面支持部結合部１２ｄとが互いに接触した部分において締結されている。
【００５６】
この変形例の構成では、底板側壁部１４ｂに前記折返し部１２ｃ及び前記背面支持部結合部１２ｄを含む範囲で筐体４の内側に凹む第２凹部１４ｇが設けられているので、支柱部１２の背面支持部１２ｂの外面と底板フレーム１４の底板側壁部１４ｂの外面とを面一にし易くすることができる。
【００５７】
また、この変形例では、背面支持部結合部１２ｄが底板側壁部１４ｂに対応する高さの範囲で筐体４の内側に突出しているので、支柱部１２の背面支持部１２ｂにおいて背面支持部結合部１２ｄが設けられた箇所とその上部との間で段差を形成することができ、支柱部１２の背面支持部結合部１２ｄ近傍の剛性を向上させることができる。
【００５８】
この変形例の上記以外の効果は、上記実施形態による効果と同様である。
【００５９】
また、上記実施形態では、支柱部１２を筐体４の側面と背面とが交わる角部Ａに設けたが、筐体のこれ以外の角部に本発明を適用した支柱部を設けてもよい。
【００６０】
また、前記支柱部１２、前記回避結合部１４ｃ、前記回避結合手段２０が筐体４の全ての角部のうち複数の角部に設けられていてもよい。
【００６１】
また、前記支柱部１２の折返し部１２ｃ、前記回避結合部１４ｃ、前記回避結合手段２０を設ける位置は、筐体の背面側以外の面であってもよい。
【００６２】
また、参考例として、上記変形例において、第２凹部１４ｇは必ずしも設ける必要はなく、面一の底板側壁部１４ｂの外面に対して支柱部１２の折返し部１２の幅方向端縁及び背面支持部結合部１２ｄの内面を接触させた状態でその底板側壁部１４ｂと背面支持部結合部１２ｄとを結合させてもよい。
【図面の簡単な説明】
【００６３】
【図１】本発明の一実施形態による空気調和機の室外機を背面側から見た斜視図である。
【図２】図１に示した室外機の筐体における支柱部と底板フレームとの結合部近傍の拡大図である。
【図３】支柱部の下部の構造を部分的に示した斜視図である。
【図４】支柱部と底板フレームとの結合部の水平断面図である。
【図５】本発明の一実施形態の筐体の支柱部に対する比較例の支柱部の構造を示した斜視図である。
【図６】本発明の一実施形態の変形例による支柱部の下部の構造を部分的に示した斜視図である。
【図７】本発明の一実施形態の変形例による支柱部と底板フレームとの結合部の水平断面図である。
【符号の説明】
【００６４】
２  熱交換器
４  筐体
６  天板フレーム
１２  支柱部
１２ｂ  背面支持部（外面支持部）
１２ｃ  折返し部
１２ｄ  背面支持部結合部（外面支持部結合部）
１４  底板フレーム
１４ａ  底部
１４ｂ  底板側壁部（側壁部）
１４ｃ  回避結合部
１４ｄ  第１凹部
１４ｅ  側壁部結合部
１４ｇ  第２凹部
２０  回避結合手段
【図１】
0004821757.tif 000002
【図２】
0004821757.tif 000003
【図３】
0004821757.tif 000004
【図４】
0004821757.tif 000005
【図５】
0004821757.tif 000006
【図６】
0004821757.tif 000007
【図７】
0004821757.tif 000008